(57)【特許請求の範囲】
【請求項１】
照射用の開口部を有する器具本体と、前記開口部を開閉する配光制御部材と、前記開口部および前記配光制御部材のいずれか一方に設けられた受け部と、前記開口部および前記配光制御部材の他方に設けられて前記受け部に引っ掛かる引掛部を有し前記引掛部を前記受け部に引っ掛けた状態で閉操作により前記引掛部を引っ掛けた状態に保持し開操作により前記引掛部の引っ掛けを解除可能にするラッチ具とを備え、
前記ラッチ具は、一端部に前記引掛部を設け他端部に略直角に折り曲げられた折曲片を有し前記折曲片に工具を挿入可能な解除用穴を形成したラッチ部と、一端部を前記ラッチ部の前記解除用穴の近傍に回動自在に連結し他端部が前記開口部または前記配光制御部材に回動自在に軸支されたリンクとを有する照明器具用ラッチ装置。
【発明の詳細な説明】
【０００１】
【発明の属する技術分野】
この発明は、スポットライトなどの照明器具の開口部に設ける配光制御部材を取付ける照明器具用ラッチ装置に関するものである。
【０００２】
【従来の技術】
従来例を図６から図９に示す。すなわち、この照明器具用ラッチ装置は、照射用の開口部７０を有する器具本体７１と、開口部７０を開閉するルーバ７２付き開閉部７３と、開閉部７３に設けられた受け部７４と、開口部７０に設けられたラッチ具７５とを備えている。
【０００３】
ラッチ具７５は、図８に示すように受け部７４に引っ掛かる引掛部７６を有し、引掛部７６を受け部７４に引っ掛けた状態で閉操作により引掛部７６を引っ掛けた状態に保持し開操作により引掛部７６の引っ掛けを解除可能にするものである。ラッチ具７５は引掛部７６とラッチ部７７からなる。引掛部７６は線ばねを略矩形に曲成しその両端部が短辺に位置する。ラッチ部７７は、一端に軸孔７８を有し、中間部に引掛部７６の両端部を嵌合する嵌合孔７９を有し、先端部にマイナスドライバ９１の先端が挿入できる段部８０を形成している。開口部７０にラッチ軸８１を軸支する軸受け部８２を設け、ラッチ部７７の軸孔７８を軸受け部８２に整合しラッチ軸８１を軸受け部８２および軸孔７８に通しＥ形止め輪８３で抜止めする。
【０００４】
また図６に示す照明器具はスポットライトであり、開閉部７３は開口部７０にヒンジ９５により取付けられている。８４は照射角度設定用つまみ、８５はアーム、８６は台座、８７は止め金具、８８は電源線、８９はランプソケット、９０はランプ、９６はアンカボルト、９７はそのナットである。図９（ａ）は開閉部７３を閉じて引掛部７６を受け部７４に引掛けた状態であり、ラッチ軸８１と引掛部７６の受け部７４に引っ掛かる部分とを結ぶ線Ｌよりも嵌合孔７９が下に位置するのでラッチ部７７は開くことができず、引掛部７６は受け部７４に保持される。この図ではラッチ部７７を開こうとして段部８０と開口部７０の表面との間にマイナスドライバ９１の先端部を挿入している。同図（ｂ）はドライバ９１でラッチ部７７をこじり開いた状態であり、ラッチ部７７はラッチ軸８１を中心に回動し嵌合孔７９が線Ｌよりも上方に位置すると死点を超えるのでラッチ部７７は大きく開ことができ、引掛部７６が受け部７４から離れるように移動する。同図（ｃ）は開閉部７３の受け部７４から引掛部７６を外した状態であり、開閉部７３を開くことができ、これによりランプ交換ができる。開閉部７３を閉じて止める場合は、前記の手順を逆に行い、最後にラッチ部７７を手等で器具本体１に向けて押して図１の状態にする。
【０００５】
ここで、ラッチ部７７の開き操作には、素手（指）ではなくマイナスドライバを必要とする程度に引掛部７６のばね力を大きくしている。これはいたずら防止のためである。
【０００６】
【発明が解決しようとする課題】
しかし、この照明器具用ラッチ装置は、ラッチを解除するのに必要な力以上の力をかけてラッチ部７７を上に引上げなくてはならない。ドライバ９１によりてこの原理を利用して、例えば図７に示すようにドライバ９１を段部８０に挿入し矢印の方向に回動すると軽い力でラッチ部７７を開くことができるが、器具本体７１に傷を付ける。またラッチ部７７を勢いよく解除するとラッチ部７７やばね性の引掛部７６がはね上がり、器具の他の部分に傷を付けたり、指などにあたって痛い思いをすることがあった。
【０００７】
したがって、この発明の目的は、軽い力でラッチ解除でき、器具本体に傷を付けずにてこの原理を利用でき、かつラッチ部の跳ね上がりを防止できる照明器具用ラッチ装置を提供することである。
【０００８】
【課題を解決するための手段】
請求項１記載の照明器具用ラッチ装置は、照射用の開口部を有する器具本体と、前記開口部を開閉する配光制御部材と、前記開口部および前記配光制御部材のいずれか一方に設けられた受け部と、前記開口部および前記配光制御部材の他方に設けられて前記受け部に引っ掛かる引掛部を有し前記引掛部を前記受け部に引っ掛けた状態で閉操作により前記引掛部を引っ掛けた状態に保持し開操作により前記引掛部の引っ掛けを解除可能にするラッチ具とを備え、
前記ラッチ具は、一端部に前記引掛部を設け他端部に略直角に折り曲げられた折曲片を有し前記折曲片に工具を挿入可能な解除用穴を形成したラッチ部と、一端部を前記ラッチ部の前記解除用穴の近傍に回動自在に連結し他端部が前記開口部または前記配光制御部材に回動自在に軸支されたリンクとを有するものである。
【０００９】
請求項１記載の照明器具用ラッチ装置によれば、ラッチ具を開く際には工具を挿入可能な解除用穴に例えばプラスドライバの先端部を挿入し、解除用穴に掛けてラッチ部が開く方向にドライバを動かす。この場合、解除用穴がてこの作用点となりドライバの長さに応じて軽い力で解除することができる。また器具本体にドライバの先端を当てなくてもよいので器具本体に傷を付けず、さらにラッチ具の開閉の際にドライバが解除用穴に係合しているのでラッチ具のはね上がりを防止することができる。
【００１０】
【発明の実施の形態】
この発明の一実施の形態を図１から図５により説明する。すなわち、この照明器具用ラッチ装置は、器具本体１と、配光制御部材３と、受け部４と、ラッチ具６とを有する。
器具本体１は、照射用の開口部２を有するもので、実施の形態は図２に示すようにラッパ形のスポットライトであり、頂部７にランプソケットを内蔵し、頂部７の側面突部８に照射角度設定用つまみ軸９を介してアーム１０を連結している。アーム１０はその端部を取付ボルト１１により台座１２に取付けている。器具本体１の内部は略ラッパ形の反射板１４を有し、ランプソケットに装着されたランプ（図示せず）が反射板１４の焦点に位置する。１３は電源線である。
【００１１】
配光制御部材３は、開口部２を開閉するもので、実施の形態では透過ガラス２０と、透過ガラス２０の周縁に冠着したリング状のゴムパッキンを用いた緩衝材４６と、透過ガラス２０を保持する枠４５からなり、枠４５の内側に緩衝材４６を介して収納し、枠４５を開口部２に閉じたときに緩衝材４６の表面を開口部２の縁部に押え付けている。枠４５の一縁部をヒンジ１８により開口部２に連結し、枠４５を開口部２に対して開閉自在に取付けている。
【００１２】
受け部４は、配光制御部材３に設けられている。実施の形態では配光制御部材３の枠４５の縁部のヒンジ１８と反対側の位置に凹部１６を形成し、凹部１６内に開口部４の開口方向に突出するように受け突起１７を形成している。ラッチ具６は、開口部２に設けられて受け部４に引っ掛かる引掛部５を有し、引掛部５を受け部４に引っ掛けた状態で閉操作により引掛部５を引っ掛けた状態に保持し開操作により引掛部５の引っ掛けを解除可能にするものであり、このラッチ具６に工具を挿入可能な解除用穴４８を有する。実施の形態のラッチ具６は、一端側に引掛部５を設け他端部に解除用穴４８を設けたラッチ部４０と、解除用穴４８の近傍に一端を回動自在に連結したリンク２４からなっている。さらに具体的にはラッチ部４０は、ばね性のある金属板を略十字形に打ち抜き、その下端部を略Ｕ字形に折り曲げて引掛部５を形成し、また両腕２２を引掛部５と同方向に略直角に折り曲げてその先端に軸孔２３を形成し、さらに金属板の両腕２２よりも上端側を両腕２２と同方向に略直角に折り曲げて折曲片２５を形成しその先端を外向きに折曲し、また折曲片２５の中央に穴開けした解除用穴４８を形成している。２７は引掛部５と折曲片２５との間に形成したリブである。リンク２４は剛体性の線材で角形でＣ字形に形成したリング状であり、その両端のある一端部２４ａを両腕２２の軸孔２３に回動自在に嵌合している。解除用穴９の穴径は工具としてプラスドライバが挿入できる大きさである。
【００１３】
開口部２の縁部に設けたフランジ部分の枠取付面２ａと反対側の面２ｂにねじ孔３０を形成し、ねじ孔３０に隣接してリンク２４の他端部２４ｂが回転自在に嵌合する溝３４を形成している。リンク２４の他端部２４ｂを溝３４に嵌め、リンク止めねじ２８をねじ孔３０にねじ込んで頭部で他端部２４ｂを押えてリンク２４を器具本体１に取付ける。
【００１４】
配光制御部材３の開き動作を図５により説明する。図５（ａ）は配光制御部材３を開口部２に閉じた使用状態である。このときリンク２４の両端の軸となる一端部２４ａは引掛部５と他端部２４ｂとを結ぶ線Ｌ1 よりも器具本体１側すなわち器具中心Ｌａ寄りに位置し死点となる線Ｌ1 を超えることができないので閉じた状態が保持される。配光制御部材３を開く際には図１と同様に解除用穴４８にプラスドライバ１２の先端を挿入し矢印の方向にドライバ１２のハンドル１２ａを押す。このとき、ラッチ部４０の引掛部５および折曲片２５が互いに離れる方向に、そしてリブ２７の部分が反るように弾性変形しながら受け部４を支点にラッチ部４０が回動してリンク２４の一端部２４ａが線Ｌ1 を超える。そして、ラッチ部４０の引掛部５が支点となり、解除用穴４８が作用点となり、ハンドル１２ａが力点となり、ドライバ１２の長さを利用しててこの原理で軽い力でラッチ部４０を回動することができる。同図（ｂ）はドライバ１２の回動により一端部２４ａが線Ｌ1 を超えた状態である。線Ｌ1 を超えるときラッチ部４０が勢いよく開いてもドライバ１２がラッチ具６自身に係合したままであるので不意に指などにあたる危険性がなくなる。同図（ｃ）はドライバ１２を解除用穴４８から抜取り、リンク２４の回動により引掛部５が開口部２から離れる方向に移動し、配光制御部材３が開口部２から若干離れた状態である。同図（ｄ）はさらにリンク２４を回動して引掛部５を受け部４から外した状態で、配光制御部材３はヒンジ１８の回りを開くことができる。これによりランプ交換が可能になる。
【００１５】
つぎに配光制御部材３を閉じるときは、上記の反対の手順を行なう。すなわち図５（ｄ）から図５（ｃ）のように配光制御部材３を閉じ、受け部４に引掛部５を引っ掛ける。この状態でラッチ部４０の折曲片２５寄りの位置を器具本体１に向けて押し付ける。あるいは同図（ｂ）のようにドライバ１２の先端を解除用穴４８に挿入し、矢印の反対方向にドライバ１２を回動する。これによりラッチ具６は引掛部５が引っ掛かった受け部４を支点に解除用穴９を作用点にし、ハンドル１２ａを力点にして軽い力でラッチ片４０が回動し線Ｌ1 をリンク２４の一端部２４ａが超えると図（ａ）のようにラッチ状態となる。
【００１６】
この実施の形態によれば、ラッチ具６を開く際には工具を挿入可能な解除用穴４８に例えばプラスドライバ１２の先端部を挿入し、解除用穴４８に掛けてラッチ具６が開く方向にドライバ１２を動かす。この場合、解除用穴４８がてこの作用点となりてこの原理によりドライバ１２の長さに応じて軽い力で解除することができる。
【００１７】
またラッチ具６自身にてこの原理の作用点を解除用穴４８により設けることにより、従来のように器具本体１を支点にして、器具本体１にドライバ１２の先端を当てなくてもよいので器具本体１に傷を付けてしまうようなことがない。
さらに従来は解除するとラッチの金具がパチンと勢いよく跳ね上がり、器具の他の部分に傷をつけてしまったり、はね上がった先に指でもおいていると、ラッチ具が指に当たって怪我までしなくても非常に痛い思いをすることがあった。しかし、ラッチ具６の開閉の際にドライバ１２が解除用穴９に係合したままであるのでラッチ具６のはね上がりを防止することができる。
【００１８】
その結果、ラッチ解除の操作性の向上と安全性を図ることができ、また小型化が可能である。
また、従来はマイナスドライバに限られていたが、プラスドライバも利用できる。
なお、この発明は従来例のラッチ装置のラッチ片にドライバを係合できる解除用穴４８を設けることにより適用することができる。またラッチ具６は１個設けられているが複数設けられてもよい。また受け部４を配光制御部材３に設けたが、開口部２に設けてもよい。さらに配光制御部材３はヒンジ１８で連結されているが、ヒンジ１８をなくしてすべてラッチ装置により開口部２に取付けてもよい。配光制御部材３は透過ガラスに限らずルーバ、透光用カバー等でもよい。解除用穴４８は丸形等の各種形状の孔に限らず切欠であってもよい。また工具はドライバ１２に限らず、解錠用穴に差し込める部材であればよい。
【００１９】
【発明の効果】
請求項１記載の照明器具用ラッチ装置によれば、ラッチ具を開く際には工具を挿入可能な解除用穴に例えばプラスドライバの先端部を挿入し、解除用穴に掛けてラッチ部が開く方向にドライバを動かす。この場合、解除用穴がてこの作用点となりドライバの長さに応じて軽い力で解除することができる。また器具本体にドライバの先端を当てなくてもよいので器具本体に傷を付けず、さらにラッチ具の開閉の際にドライバが解除用穴に係合しているのでラッチ具のはね上がりを防止することができる。
【図面の簡単な説明】
【図１】この発明の一実施の形態の部分断面図である。
【図２】照明器具を示し、（ａ）は一部破断側面図、（ｂ）は背面図である。
【図３】（ａ）は照明器具の平面図、（ｂ）は正面図、（ｃ）は底面図である。
【図４】ラッチ具を示し、それぞれ別の角度からみた斜視図である。
【図５】ラッチ動作およびその解除動作を説明する説明図である。
【図６】従来例を適用した照明器具の分解斜視図である。
【図７】照明器具用ラッチ装置のラッチ状態の斜視図である。
【図８】照明器具用ラッチ装置の分解斜視図である。
【図９】ラッチ動作および解除動作の説明図である。
【符号の説明】
１    器具本体
２    開口部
３    配光制御部材
４    受け部
５    引掛部
６    ラッチ具
１２    ドライバ
４０    ラッチ部
４８    解除用穴
【図１】
0003957105.tif 000002
【図２】
0003957105.tif 000003
【図３】
0003957105.tif 000004
【図４】
0003957105.tif 000005
【図５】
0003957105.tif 000006
【図６】
0003957105.tif 000007
【図７】
0003957105.tif 000008
【図８】
0003957105.tif 000009
【図９】
0003957105.tif 000010